(57)【要約】【課題】簡便に、かつ、高速にクーポン情報の送受信を行うことが可能なクーポン提供システム等を提供する。【解決手段】クーポン提示端末３は、Ｒ／Ｗ４に携帯端末５−１がかざされると、クーポン管理サーバ２上における、ユーザにより選択されたクーポンの保管場所を示すＵＲＬを、Ｒ／Ｗ４を介してＰ２Ｐモードで携帯端末５−１に送信する。携帯端末５−１は、受信したＵＲＬにアクセスすると、クーポン管理サーバ２からネットワーク９を介してクーポン情報を受信し、表示画面に表示する。携帯端末５−１は、クーポンが表示された状態でユーザにより利用端末６のＲ／Ｗ７にかざされると、そのクーポンの保管場所を示すＵＲＬをＲ／Ｗ７に送信する。利用端末６は、受信したＵＲＬを解釈し、ＵＲＬから、割引率等のクーポン情報及びユーザ認証情報を抽出する。そして、ユーザ認証に成功すると、利用端末６は、店舗８に対し、割引き処理を実行させる。【選択図】図１
2014056283.tif 000002
【特許請求の範囲】
【請求項１】
クーポン情報を管理するクーポン管理サーバと、近距離無線通信方式により通信を行うクーポン提示端末と、前記近距離無線通信方式により通信を行う携帯端末とがネットワークを介して接続されるクーポン提供システムであって、
前記クーポン管理サーバが、
前記クーポン情報を記憶する記憶手段と、
前記携帯端末からの要求に応じて、前記記憶手段に記憶されている前記クーポン情報を読み出し、前記ネットワークを介して前記携帯端末に送信する送信手段と、
を具備し、
前記クーポン提示端末が、
前記クーポン管理サーバから取得した前記クーポン情報を提示する提示手段と、
前記提示手段に提示されている前記クーポン情報の中から所定のクーポン情報が選択された場合、前記クーポン情報の、前記クーポン管理サーバにおける保管場所を示すデータを、前記近距離無線通信方式により前記携帯端末に送信する第１の通信手段と、
を具備し、
前記携帯端末が、
前記クーポン提示端末から、前記近距離無線通信方式により、前記クーポン管理サーバにおける保管場所を示すデータを受信する第２の通信手段と、
前記クーポン管理サーバにおける保管場所を示すデータに基づいて、前記ネットワークを介して前記クーポン管理サーバにアクセスし、前記クーポン情報を受信する受信手段と、
前記受信手段により受信した前記クーポン情報を表示する表示手段と、
を具備することを特徴とするクーポン提供システム。
【請求項２】
前記近距離無線通信方式は、ＮＦＣ（Near Field Communication）方式に基づくＰ２Ｐ（Pear to
Pear）通信である
ことを特徴とする請求項１に記載のクーポン提供システム。
【請求項３】
前記クーポン管理サーバにおける保管場所を示すデータは、ＵＲＬ（Uniform Resource Locator）である
ことを特徴とする請求項１または請求項２に記載のクーポン提供システム。
【請求項４】
前記携帯端末の前記第２の通信手段は、前記受信手段により受信した前記クーポン情報を、前記近距離無線通信方式により通信を行うクーポン利用端末に送信し、割引き処理を実行させる
ことを特徴とする請求項１乃至請求項３のいずれかに記載のクーポン提供システム。
【請求項５】
前記携帯端末の前記第２の通信手段は、前記近距離無線通信方式により通信を行う他の携帯端末に、前記クーポン管理サーバにおける保管場所を示すデータを送信する
ことを特徴とする請求項１乃至請求項４のいずれかに記載のクーポン提供システム。
【請求項６】
前記クーポン管理サーバの前記記憶手段は、前記クーポン情報に紐付けて前記携帯端末のユーザ情報をさらに記憶する
ことを特徴とする請求項１乃至５のいずれかに記載のクーポン提供システム。
【請求項７】
クーポン情報を管理するクーポン管理サーバと、近距離無線通信方式により通信を行うクーポン提示端末と、前記近距離無線通信方式により通信を行う携帯端末とがネットワークを介して接続されるクーポン提供システムで行われるクーポン提供方法であって、
前記クーポン管理サーバが、
前記クーポン情報を記憶する記憶ステップと、
前記携帯端末からの要求に応じて、前記記憶ステップで記憶された前記クーポン情報を読み出し、前記ネットワークを介して前記携帯端末に送信する送信ステップと、
を含み、
前記クーポン提示端末が、
前記クーポン管理サーバから取得した前記クーポン情報を提示する提示ステップと、
前記提示ステップで提示された前記クーポン情報の中から所定のクーポン情報が選択された場合、前記クーポン情報の、前記クーポン管理サーバにおける保管場所を示すデータを、前記近距離無線通信方式により前記携帯端末に送信する第１の通信ステップと、
を含み、
前記携帯端末が、
前記クーポン提示端末から、前記近距離無線通信方式により、前記クーポン管理サーバにおける保管場所を示すデータを受信する第２の通信ステップと、
前記クーポン管理サーバにおける保管場所を示すデータに基づいて、前記ネットワークを介して前記クーポン管理サーバにアクセスし、前記クーポン情報を受信する受信ステップと、
前記受信ステップで受信した前記クーポン情報を表示する表示ステップと、
を含むことを特徴とするクーポン提供方法。
【請求項８】
コンピュータを、クーポン情報を管理するクーポン管理サーバと、近距離無線通信方式により通信を行うクーポン提示端末と、前記近距離無線通信方式により通信を行う携帯端末とがネットワークを介して接続されるクーポン提供システムとして機能させるプログラムであって、
前記クーポン管理サーバが、
前記クーポン情報を記憶する記憶手段と、
前記携帯端末からの要求に応じて、前記記憶手段に記憶されている前記クーポン情報を読み出し、前記ネットワークを介して前記携帯端末に送信する送信手段と、
を具備し、
前記クーポン提示端末が、
前記クーポン管理サーバから取得した前記クーポン情報を提示する提示手段と、
前記提示手段に提示されている前記クーポン情報の中から所定のクーポン情報が選択された場合、前記クーポン情報の、前記クーポン管理サーバにおける保管場所を示すデータを、前記近距離無線通信方式により前記携帯端末に送信する第１の通信手段と、
を具備し、
前記携帯端末が、
前記クーポン提示端末から、前記近距離無線通信方式により、前記クーポン管理サーバにおける保管場所を示すデータを受信する第２の通信手段と、
前記クーポン管理サーバにおける保管場所を示すデータに基づいて、前記ネットワークを介して前記クーポン管理サーバにアクセスし、前記クーポン情報を受信する受信手段と、
前記受信手段により受信した前記クーポン情報を表示する表示手段と、
を具備することを特徴とするクーポン提供システムとして機能させるプログラム。
【発明の詳細な説明】
【技術分野】
【０００１】
本発明は、サーバ側で管理されるクーポンをネットワークを介して接続された端末等が提供等を行うクーポン提供システム等に関するものである。
【背景技術】
【０００２】
従来、日本国内において、交通系決済、クレジット決済、及び社員証による認証など、非接触のサービスに用いられる非接触型ＩＣカードが普及しており、そのほとんどがＦｅｌｉＣａ（登録商標）の通信方式を採用している。さらに、近年では、非接触型ＩＣチップを搭載した携帯端末（例えば、おサイフケータイ（登録商標））が普及している。かかる携帯端末に搭載された非接触型ＩＣチップにおいても、従来の非接触型ＩＣカードとの互換性からＦｅｌｉＣａの通信方式が採用されている。
【先行技術文献】
【特許文献】
【０００３】
【特許文献１】特許第４８９３２７６号公報
【非特許文献】
【０００４】
【非特許文献１】“複数の電子マネー／モバイルクレジット決済を実現する流通・サービス業向け汎用リーダライタ・システムの開発について”、日本電気株式会社、2006年 9月27日、［online]、［２０１０年３月１日検索］、インターネット〈http://www.nec.co.jp/press/ja/0609/2702.html〉
【発明の概要】
【発明が解決しようとする課題】
【０００５】
従来の方式では、ＩＣチップへの書き込み処理時間が長く、また、ＩＣチップの容量が限られているため、クーポン入手及び利用時にクーポン情報を入れ替えるなどの操作が必要となり、ユーザにとって不便である課題があった。
【０００６】
また、クーポンのような少額の割引券に関しては、単に、画面上に表示されたクーポンを提示するだけで良いケースが多く、セキュアなＩＣチップでの管理を必要としない。
【０００７】
本発明は、前述した問題点に鑑みてなされたもので、その目的とすることは、簡便に、かつ、高速にクーポンの送受信を行うことが可能なクーポン提供システムなどを提供することである。
【課題を解決するための手段】
【０００８】
前述した目的を達成するための第１の発明は、クーポン情報を管理するクーポン管理サーバと、近距離無線通信方式により通信を行うクーポン提示端末と、前記近距離無線通信方式により通信を行う携帯端末とがネットワークを介して接続されるクーポン提供システムであって、前記クーポン管理サーバが、前記クーポン情報を記憶する記憶手段と、前記携帯端末からの要求に応じて、前記記憶手段に記憶されている前記クーポン情報を読み出し、前記ネットワークを介して前記携帯端末に送信する送信手段と、を具備し、前記クーポン提示端末が、前記クーポン管理サーバから取得した前記クーポン情報を提示する提示手段と、前記提示手段に提示されている前記クーポン情報の中から所定のクーポン情報が選択された場合、前記クーポン情報の、前記クーポン管理サーバにおける保管場所を示すデータを、前記近距離無線通信方式により前記携帯端末に送信する第１の通信手段と、を具備し、前記携帯端末が、前記クーポン提示端末から、前記近距離無線通信方式により、前記クーポン管理サーバにおける保管場所を示すデータを受信する第２の通信手段と、前記クーポン管理サーバにおける保管場所を示すデータに基づいて、前記ネットワークを介して前記クーポン管理サーバにアクセスし、前記クーポン情報を受信する受信手段と、前記受信手段により受信した前記クーポン情報を表示する表示手段と、を具備することを特徴とするクーポン提供システムである。
第１の発明によって、ＩＣチップのセキュア領域を必要としないため、簡便に、かつ、高速にクーポンの送受信を行うことが可能能となる。
【０００９】
前記近距離無線通信方式は、ＮＦＣ（Near Field Communication）方式に基づくＰ２Ｐ（Ｐｅａｒ ｔｏ Ｐｅａｒ）通信である。
これによって、ＩＣチップのセキュア領域を必要としないため、システム構築が容易となるだけでなく、独自のアプリケーションを必要としないため、低コストで実現することが可能である。
【００１０】
前記クーポン管理サーバにおける保管場所を示すデータは、ＵＲＬ（Uniform Resource Locator）である。
これによって、クーポンを利用したい場合に、ＵＲＬが示すクーポン保管場所にアクセスし取得することができ、不要にＩＣチップを使用せずに済む。
【００１１】
前記携帯端末の前記第２の通信手段は、前記受信手段により受信した前記クーポン情報を、前記近距離無線通信方式により通信を行うクーポン利用端末に送信し、割引き処理を実行させる。
これによって、クーポンを、店舗などの利用端末に高速で送信し、簡便に割引き処理を受けることができる。
【００１２】
前記携帯端末の前記第２の通信手段は、前記近距離無線通信方式により通信を行う他の携帯端末に、前記クーポン管理サーバにおける保管場所を示すデータを送信する。
これによって、簡便に、かつ、高速に、クーポンの受け渡しを行うことができる。
【００１３】
前記クーポン管理サーバの前記記憶手段は、前記クーポン情報に紐付けて前記携帯端末のユーザ情報をさらに記憶する。
これによって、ユーザ毎のクーポン取得状況や利用状況を管理することができる。
【００１４】
第２の発明は、クーポン情報を管理するクーポン管理サーバと、近距離無線通信方式により通信を行うクーポン提示端末と、前記近距離無線通信方式により通信を行う携帯端末とがネットワークを介して接続されるクーポン提供システムで行われるクーポン提供方法であって、前記クーポン管理サーバが、前記クーポン情報を記憶する記憶ステップと、前記携帯端末からの要求に応じて、前記記憶ステップで記憶された前記クーポン情報を読み出し、前記ネットワークを介して前記携帯端末に送信する送信ステップと、を含み、前記クーポン提示端末が、前記クーポン管理サーバから取得した前記クーポン情報を提示する提示ステップと、前記提示ステップで提示された前記クーポン情報の中から所定のクーポン情報が選択された場合、前記クーポン情報の、前記クーポン管理サーバにおける保管場所を示すデータを、前記近距離無線通信方式により前記携帯端末に送信する第１の通信ステップと、を含み、前記携帯端末が、前記クーポン提示端末から、前記近距離無線通信方式により、前記クーポン管理サーバにおける保管場所を示すデータを受信する第２の通信ステップと、前記クーポン管理サーバにおける保管場所を示すデータに基づいて、前記ネットワークを介して前記クーポン管理サーバにアクセスし、前記クーポン情報を受信する受信ステップと、前記受信ステップで受信した前記クーポン情報を表示する表示ステップと、を含むことを特徴とするクーポン提供方法である。
第２の発明によって、ＩＣチップのセキュア領域を必要としないため、簡便に、かつ、高速にクーポンの送受信を行うことが可能能となる。
【００１５】
第３の発明は、コンピュータを、クーポン情報を管理するクーポン管理サーバと、近距離無線通信方式により通信を行うクーポン提示端末と、前記近距離無線通信方式により通信を行う携帯端末とがネットワークを介して接続されるクーポン提供システムとして機能させるプログラムであって、前記クーポン管理サーバが、前記クーポン情報を記憶する記憶手段と、前記携帯端末からの要求に応じて、前記記憶手段に記憶されている前記クーポン情報を読み出し、前記ネットワークを介して前記携帯端末に送信する送信手段と、を具備し、前記クーポン提示端末が、前記クーポン管理サーバから取得した前記クーポン情報を提示する提示手段と、前記提示手段に提示されている前記クーポン情報の中から所定のクーポン情報が選択された場合、前記クーポン情報の、前記クーポン管理サーバにおける保管場所を示すデータを、前記近距離無線通信方式により前記携帯端末に送信する第１の通信手段と、を具備し、前記携帯端末が、前記クーポン提示端末から、前記近距離無線通信方式により、前記クーポン管理サーバにおける保管場所を示すデータを受信する第２の通信手段と、前記クーポン管理サーバにおける保管場所を示すデータに基づいて、前記ネットワークを介して前記クーポン管理サーバにアクセスし、前記クーポン情報を受信する受信手段と、前記受信手段により受信した前記クーポン情報を表示する表示手段と、を具備することを特徴とするクーポン提供システムとして機能させるプログラムである。
第３の発明のプログラムを汎用のコンピュータにインストールすることによって、第１の発明のクーポン提供システムを得ることができる。
【発明の効果】
【００１６】
本発明により、簡便に、かつ、高速にクーポンの送受信を行うことが可能なクーポン提供システムなどを提供することができる。
【図面の簡単な説明】
【００１７】
【図１】本発明の実施の形態に係るクーポン提供システムの構成例を示す図である。
【図２】クーポン管理サーバ（クーポン提示端末、クーポン利用端末）の構成例を示す図である。
【図３】クーポン管理サーバの記憶部に記憶されるデータベースを示す図である。
【図４】店舗情報データベースに記憶される情報の一例を示している。
【図５】クーポン情報データベースに記憶される情報の一例を示す図である。
【図６】クーポン情報の詳細例を示している。
【図７】ユーザ情報データベースに記憶される情報の一例を示している。
【図８】携帯端末の構成例を示す図である。
【図９】携帯端末のブラウザアプリケーションの機能構成例を示す図である
【図１０】ユーザ認証情報の一例を示す図である。
【図１１】クーポン提供処理を説明するフローチャートである。
【図１２】送信データの一例を示す図である。
【図１３】クーポン利用処理を説明するフローチャートである。
【図１４】クーポン譲渡処理を説明するフローチャートである。
【発明を実施するための形態】
【００１８】
以下、図面に基づいて、本発明の実施形態を詳細に説明する。
【００１９】
［本発明の実施の形態］
（クーポン提供システムの構成）
図１は、本発明の実施の形態に係るクーポン提供システム１の構成例を示す図である。なお、クーポン管理サーバ２、クーポン提示端末３、Ｒ／Ｗ（リーダ／ライタ）４、携帯端末５−１、５−２、クーポン利用端末６、Ｒ／Ｗ７、および店舗端末８の数は、任意であり、それぞれ複数設けることも勿論可能である。
【００２０】
図１に示すように、クーポン提供システム１は、クーポン管理サーバ２、クーポン提示端末３、携帯端末５−１、５−２、およびクーポン利用端末６がネットワーク９を介して接続されることで構成されている。ネットワーク９は、ＬＡＮ（Local  Area  Network）、インターネット等である。
【００２１】
クーポン管理サーバ２は、例えば、ＣＰＵ（Central  Processing  Unit）、ＲＯＭ（Read  Only  Memory）、ＲＡＭ（Random  Access  Memory）、ＨＤＤ（Hard  Disk  Drive）等を有するコンピュータであり、クーポン情報をデータベースで管理している。クーポン管理サーバ２は、携帯端末５−１、５−２からの要求に応じて、データベースからクーポン情報を読み出し、送信する。また、クーポン管理サーバ２は、クーポン利用端末６からクーポンの利用通知を受信すると、データベースで管理しているクーポン情報を更新する。
【００２２】
クーポン提示端末３は、例えば、店舗や街頭に設置されており、予めクーポン管理サーバ２から受信したクーポン情報（図１の例では、クーポンＡ、クーポンＢ）を提示する。クーポン提示端末３には、ＮＦＣ（Near Field Communication）方式の近距離無線通信を行うＲ／Ｗ（リーダ／ライタ）４が接続されている。
【００２３】
ＮＦＣ方式の近距離無線通信とは、ＩＳＯ／ＩＥＣ２１４８１（ＮＦＣＩＰ−２）規格に沿った通信方式、又は、将来これを含んで拡張される通信方式を意味する。ＮＦＣ方式のデバイスには、対応すべき３つのモードが規定されている。
１．リーダ／ライタモード
ＮＦＣデバイスが、非接触ＩＣカードに相当するデバイスから、データの読み込み及び書き込みを行うモードである。
２．カードエミュレーションモード
ＮＦＣデバイスが、非接触ＩＣカードの役割をするモードである。
３．Ｐ２Ｐ（Ｐｅａｒ  ｔｏ  Ｐｅａｒ）モード
ＮＦＣ方式のデバイス（イニシエータ）が、他のＮＦＣ方式のデバイス（ターゲット）と、双方向通信をするモードである。
【００２４】
例えば、クーポン提示端末３は、ユーザによって、提示中のクーポンが選択され、「送信ボタン」が押下され、Ｒ／Ｗ４に携帯端末５−１がかざされる（近接される）と、クーポン管理サーバ２上における選択クーポンの保管場所を示すＵＲＬ（Uniform Resource Locator）を、Ｒ／Ｗ４を介して、ＮＦＣ方式のＰ２Ｐモードで携帯端末５−１に送信する。
【００２５】
携帯端末５−１、５−２は、ＣＰＵ、ＲＯＭ、ＲＡＭ、入力部、および表示画面などを実装した携帯型コンピュータであって、例えば、スマートフォン、カメラ付き携帯電話機、タブレット端末（携帯情報端末）等である。携帯端末５−１、５−２は、ＮＦＣ方式の近距離無線通信機能を備えている。
【００２６】
例えば、携帯端末５−１、５−２は、ユーザの操作に応じて、表示画面に表示されたクーポンの保管場所を示すＵＲＬにアクセスすると、クーポン管理サーバ２からネットワーク９を介してクーポン情報を受信し、表示画面に表示する。
【００２７】
また例えば、携帯端末５−１（イニシエータ：Ｐ２Ｐ送信側）は、取得したクーポンを、Ｐ２Ｐモードで携帯端末５−２（ターゲット：Ｐ２Ｐ受信側）に送信することもできる。
【００２８】
以下、携帯端末５−１と携帯端末５−２を個々に区別する必要がない場合、単に携帯端末５と記載する。
【００２９】
クーポン利用端末６は、例えば、店舗に設置されており、ＮＦＣ方式の近距離無線通信を行うＲ／Ｗ７が接続されている。例えば、クーポン利用端末６は、ユーザによって、利用クーポンが表示された携帯端末５−１がＲ／Ｗ７にかざされる（近接される）と、Ｒ／Ｗ７を介してＰ２Ｐモードで利用クーポン情報を受信し、その利用クーポン（図１の例では、クーポンＡ）を表示画面に提示する。そして、ユーザによって、「確認ボタン」が押下されると、クーポン利用端末６は、店舗端末８に対し、クーポン情報に基づいた割引き処理を実行させる。クーポン利用端末６は、割引き処理完了通知を店舗端末８から受信すると、クーポン管理サーバ２に対し、クーポンの利用通知を送信する。
【００３０】
店舗端末８は、例えば、ＰＯＳ（Point Of Sales）システムである。
【００３１】
（各端末の構成）
図２は、クーポン管理サーバ２（クーポン提示端末３、クーポン利用端末６）の構成例を示す図である。尚、図２の構成はあくまで一例であり、用途、目的に応じて様々な構成を採ることが可能である。
【００３２】
クーポン管理サーバ２（クーポン提示端末３、クーポン利用端末６）を実現するコンピュータは、制御部１１、記憶部１２、メディア入出力部１３、通信制御部１４、入力部１５、表示部１６、周辺機器Ｉ／Ｆ（インターフェース）部１７等が、バス１８を介して接続される。
【００３３】
制御部１１は、ＣＰＵ、ＲＯＭ、ＲＡＭ等で構成される。
【００３４】
ＣＰＵは、記憶部１２、ＲＯＭ、記録媒体等に格納されるプログラムをＲＡＭ上のワークメモリ領域に呼び出して実行し、バス１８を介して接続された各部を駆動制御し、クーポン管理サーバ２（クーポン提示端末３、クーポン利用端末６）が行う後述する処理を実現する。ＲＯＭは、不揮発性メモリであり、コンピュータのブートプログラムやＢＩＯＳ（Basic Input/Output System）等のプログラム、データ等を恒久的に保持している。ＲＡＭは、揮発性メモリであり、記憶部１２、ＲＯＭ、記録媒体等からロードしたプログラム、データ等を一時的に保持するとともに、制御部１１が各種処理を行う為に使用するワークエリアを備える。
【００３５】
記憶部１２は、ＨＤＤであり、制御部１１が実行するプログラム、プログラム実行に必要なデータ、ＯＳ（オペレーティングシステム）等を格納する。プログラムに関しては、ＯＳに相当する制御プログラムや、後述する処理をコンピュータに実行させるためのアプリケーションプログラムが格納されている。これらの各プログラムコードは、制御部１１により必要に応じて読み出されてＲＡＭに移され、ＣＰＵに読み出されて各種の手段として実行される。
【００３６】
メディア入出力部１３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。通信制御部１４は、通信制御装置、通信ポート等を有し、コンピュータとネットワーク９間の通信を媒介する通信インターフェースであり、ネットワーク９を介して、他のコンピュータ間との通信制御を行う。ネットワーク９は、有線、無線を問わない。
【００３７】
入力部１５は、データの入力を行い、例えば、キーボード、マウス等のポインティングデバイス、テンキー等の入力装置を有する。入力部１５を介して、コンピュータに対して、操作指示、動作指示、データ入力等を行うことができる。表示部１６は、ＣＲＴモニタ、液晶パネル等のディスプレイ装置、ディスプレイ装置と連携してコンピュータのビデオ機能を実現するための論理回路等（ビデオアダプタ等）を有する。
【００３８】
周辺機器Ｉ／Ｆ（インターフェース）部１７は、コンピュータに周辺機器を接続させるためのポートであり、周辺機器Ｉ／Ｆ部１７を介してコンピュータは周辺機器とのデータの送受信を行う。周辺機器Ｉ／Ｆ部１７は、ＵＳＢ（Universal
Serial Bus）やＩＥＥＥ（The Institute of Electrical and Electronics Engineers）１３９４やＲＳ−２３２Ｃ等で構成されており、通常複数の周辺機器Ｉ／Ｆを有する。周辺機器との接続形態は有線、無線を問わない。バス１８は、各装置間の制御信号、データ信号等の授受を媒介する経路である。
【００３９】
図３は、クーポン管理サーバ２の記憶部１２に記憶されるデータベースの一例を示す図である。図３に示すように、クーポン管理サーバ２の記憶部１２は、少なくとも、店舗情報データベース（ＤＢ）２１、クーポン情報データベース（ＤＢ）２２、およびユーザ情報データベース（ＤＢ）２３を記憶している。
【００４０】
店舗情報データベース２１は、図４に示すように、少なくとも、店舗ＩＤ２１Ａ、店舗名２１Ｂ、クーポンＩＤ２１Ｃを、店舗毎に記憶する。店舗ＩＤ２１Ａは、店舗を一意に識別するための情報であり、店舗名２１Ｂは、店舗の名称であり、クーポンＩＤ２１Ｃは、その店舗が保有しているクーポンのクーポンＩＤである。
【００４１】
クーポン情報データベース２２は、図５に示すように、少なくとも、クーポンＩＤ２２Ａ、クーポン情報２２Ｂを、クーポン毎に記憶する。クーポンＩＤ２２Ａは、クーポンを一意に識別するための情報であり、店舗情報データベース２１のクーポンＩＤ２１Ｃに紐付けられている。クーポン情報２２Ｂは、そのクーポンに関する詳細情報である。
【００４２】
クーポン情報２２Ｂは、例えば、図６に示すように、クーポンのコード、タイトル（クーポン名称）、説明、割引率、発行者、有効期間（有効回数含む）、画像、割引額を含む。
【００４３】
ユーザ情報データベース２３は、図７に示すように、少なくとも、ユーザＩＤ２３Ａ、ユーザ情報２３Ｂ、取得クーポンＩＤ２３Ｃ、取得日時２３Ｄ、利用日時２３Ｅ、譲渡日時２３Ｆ、譲受日時２３Ｇを、ユーザ毎に記憶する。ユーザＩＤ２３Ａは、ユーザを一意に識別するための情報であり、ユーザ情報２３Ｂは、そのユーザに関する詳細情報である。取得クーポンＩＤ２３Ｃは、そのユーザが取得したクーポンＩＤであり、クーポン情報データベース２２の店舗情報データベース２１のクーポンＩＤ２１Ｃに紐付けられている。取得日時２３Ｄは、そのユーザがクーポンを取得した日時であり、利用日時２３Ｅは、そのユーザがクーポンを利用した日時であり、譲渡日時２３Ｆは、そのユーザがクーポンを第３者に譲渡した日時であり、譲受日時２３Ｇは、そのユーザがクーポンを第３者から譲受した日時である。なお、取得するクーポンは、複数種類の場合があるため、その場合には、取得クーポンＩＤ２３Ｃ乃至譲受日時２３Ｇは、複数記憶される。
【００４４】
図８は、携帯端末５の構成例を示す図である。尚、図８の構成は、あくまで一例であり、用途、目的に応じて様々な構成を採ることが可能である。
【００４５】
携帯端末５は、制御部３１、記憶部３２、通信制御部３３、入力部３４、表示部３５、近距離無線通信部３６などが、バス３７を介して接続される。
【００４６】
制御部３１は、ＣＰＵ、ＲＯＭ、ＲＡＭ等で構成される。制御部３１は、記憶部３２に記憶されたプログラムに基づいて所定の処理を行い、通話機能、ブラウザ機能、およびメール機能などを実現する。
【００４７】
記憶部３２は、制御部３１が実行するプログラム、プログラム実行に必要なデータ、ＯＳ等を格納するとともに、近距離無線通信部３６経由で提供されたデータ等を記憶する。
【００４８】
通信制御部３３は、通信制御装置、通信ポート等を有し、携帯端末５とネットワーク９間の通信を媒介する通信インターフェースであり、ネットワーク９を介して、他のコンピュータ又は他の携帯端末との音声通信やデータ通信の制御を行う。
【００４９】
入力部３４は、ボタンやタッチパネルなどで構成され、操作指示、動作指示、データ入力等を行う。表示部３５は、液晶パネル等のディスプレイ装置であり、制御部３１から供給される情報を表示する。入力部３４および表示部３５は、タッチパネルディスプレイのように、一体となっていても良い。
【００５０】
近距離無線通信部３６は、図示しないアンテナを用いて、ＮＦＣ方式の近距離無線通信を行う。
【００５１】
図９は、携帯端末５のブラウザアプリケーション４１の機能構成例を示す図である。図９に示すブラウザアプリケーション４１のうちの少なくとも一部は、図８の携帯端末５の制御部３１により実行されることによって実現される。
【００５２】
クーポン表示部４１Ａは、クーポン提示端末３などから受信したクーポンを表示部３５に表示する。Ｐ２Ｐ送信部４１Ｂは、ＮＦＣ方式の近距離無線通信機能を備えたターゲットを検索し、ターゲットを検知すると、近距離無線通信部３６を介してＰ２Ｐモードでデータの送信を行う。サーバ接続部４１Ｃは、通信制御部３３およびネットワーク９を介してクーポン管理サーバ２に接続する。Ｐ２Ｐ受信部４１Ｄは、ＮＦＣ方式のＰ２Ｐモードで待機し、ＮＦＣ方式の近距離無線通信機能を備えたイニシエータから近距離無線通信部３６を介してデータを受信する。
【００５３】
ユーザ識別情報管理部４１Ｅは、Ｗｅｂへのログインを省くためのオプション機能であって、ユーザを識別するための情報を管理している。ＵＲＬ生成部４１Ｆは、Ｗｅｂへのログインを省くためのオプション機能であって、ＷｅｂにアクセスするためのＵＲＬを生成する。
【００５４】
図１０は、クーポン管理サーバ２へアクセスする際に用いるユーザ認証情報５１の一例を示す。図１０に示すように、ユーザ認証情報５１は、ユーザを一意に識別するためのＩＤ５１Ａ、およびパスワード５１Ｂを含む。なお、Ｗｅｂへのログインを省くためのオプション機能として、ユーザ認証情報５１には、携帯端末５の端末識別番号５１Ｃ、および他サイトのユーザ認証用のアクセスキー５１を含ませるようにしてもよい。
【００５５】
（クーポン提供処理）
図１１は、クーポン提供システム１が実行する、クーポン提示端末３から携帯端末５−１へクーポンを提供する処理を説明するフローチャートである。
【００５６】
処理を開始するにあたり、クーポン提示端末３の表示部１６には、複数のクーポンが表示されている。ステップＳ１において、クーポン提示端末３の制御部１１は、ユーザによるクーポン選択を検知したか否かを判定し、クーポン選択を検知するまで待機する。つまり、ユーザは、クーポン提示端末３の表示部１６に表示されている複数のクーポンのうち、取得したいクーポンがあれば、そのクーポンを選択する操作を行う。この操作を受け、ステップＳ１において、クーポン提示端末３の制御部１１は、クーポン選択を検知したと判定し、ステップＳ２に進む。
【００５７】
ステップＳ２において、クーポン提示端末３の制御部１１は、ユーザにより選択されたクーポン、および、「携帯端末をかざしてください」といったメッセージを表示部１６に表示させる。ステップＳ３において、クーポン提示端末３の制御部１１は、Ｒ／Ｗ４を介して、ＮＦＣ方式のＰ２Ｐモードでターゲットを検索する。
【００５８】
ユーザは、取得したいクーポンを選択した後、自身の携帯端末５−１を、クーポン提示端末３に接続されたＲ／Ｗ４にかざす（近接させる）。ステップＳ４において、携帯端末５−１の制御部３１（Ｐ２Ｐ受信部４１Ｄ）は、近距離無線通信部３６を介して、ＮＦＣ方式のＰ２ＰモードでＲ／Ｗ４にターゲット応答する。
【００５９】
ステップＳ５において、クーポン提示端末３の制御部１１は、Ｒ／Ｗ４を介して携帯端末５−１をターゲットとして検知し、選択クーポンのクーポン管理サーバ２における保管場所であるＵＲＬを、ＮＦＣデータ交換フォーマット(ＮＤＥＦ : NFC Data Exchange Format )によりＮＦＣに準拠したフォーマットに変換し、Ｒ／Ｗ４を介して携帯端末５−１に送信する。
【００６０】
図１２は、ＮＤＥＦの送信データの一例を示す図である。
【００６１】
図１２（Ａ）は、ＵＲＩ（Uniform Resource Identifier））レコードによる送信データ例を示し、図１２（Ｂ）は、ｖＣａｒｄレコードによる送信データ例を示し、図１２（Ｃ）は、ＭＩＭＥ  ｔｙｐｅレコードによる送信データ例を示している。このようなレコード（ｖＣａｒｄ：連絡先やＭＩＭＥ
ｔｙｐｅ指定：独自情報）は、ＵＲＬと同時に付加情報を送っても良い。
【００６２】
本実施の形態では、１つのクーポンにつき、１つのＵＲＬを使用するものと定義する。
【００６３】
図１１の説明に戻る。ステップＳ６において、携帯端末５−１の制御部３１（Ｐ２Ｐ受信部４１Ｄ）は、近距離無線通信部３６を介して、ＮＦＣ方式のＰ２Ｐモードで送信されてきた選択クーポンのクーポン管理サーバ２における保管場所であるＵＲＬのデータを受信し、記憶部３２に記憶させる。ステップＳ７において、携帯端末５−１の制御部３１は、データ受信の完了通知を、近距離無線通信部３６を介して、ＮＦＣ方式のＰ２ＰモードでＲ／Ｗ４に送信する。
【００６４】
ステップＳ８において、クーポン提示端末３の制御部１１は、携帯端末５−１からＲ／Ｗ４を介して、ＮＦＣ方式のＰ２Ｐモードで、データ受信の完了通知を受信する。ステップＳ９において、クーポン提示端末３の制御部１１は、表示部１６に複数のクーポンを表示させる画面（元の画面）に切り替える。
【００６５】
ステップＳ１０において、携帯端末５−１の制御部３１は、ステップＳ６の処理で受信したＵＲＬのデータを解釈し、ステップＳ１１において、ブラウザ（起動アプリケーション）を判定する。ステップＳ１２において、携帯端末５−１の制御部３１は、ステップＳ１０の処理で解釈したＵＲＬで、ステップＳ１１の処理で判定したブラウザを起動する。これにより、起動ブラウザは、ＨＴＴＰ（HyperText Transfer Protocol）リクエストを、ネットワーク９を介してクーポン管理サーバ２に送信する。ここでのアクセスＵＲＬは、「http://***.jp/クーポンID」となる。
【００６６】
ステップＳ１３において、クーポン管理サーバ２の制御部１１は、受信したＨＴＴＰリクエストを解析し、対応するクーポン情報をクーポン情報データベース２２から読み出し、受け取ったユーザＩＤなどを含めたＵＲＬへリダイレクトし、クーポン画面のデータをＨＴＴＰレスポンスとして返信する。ここでのＵＲＬは、「http://***.jp/クーポンID/ユーザID/割引率/割引額/ハッシュ値」となる。ステップＳ１４において、携帯端末５−１の制御部３１（クーポン表示部４１Ａ）は、受信したＨＴＴＰレスポンスを解析し、クーポン画面のデータを表示部３５に表示させる。
【００６７】
ステップＳ１５において、クーポン管理サーバ２の制御部１１は、携帯端末５−１から受信したＨＴＴＰリクエストに付加されているユーザ認証情報５１（図１０）に基づいて、クーポンＩＤとユーザＩＤを紐付けて、ユーザ情報データベース２３に保存する。
【００６８】
（クーポン利用処理）
図１３は、クーポン提供システム１が実行する、携帯端末５−１が取得したクーポンをクーポン利用端末６で利用する処理を説明するフローチャートである。
【００６９】
ステップＳ２１において、携帯端末５−１の制御部３１（クーポン表示部４１Ａ）は、ユーザの指示に基づいて、記憶部３２に記憶されている取得クーポンの一覧を表示部３５に表示させる。ユーザは、表示部３５に一覧表示されたクーポンのうち、利用するクーポンを選択して表示部３５に表示させ、店舗８の店員に提示する。
【００７０】
店舗８の店員は、ユーザによって提示されたクーポンを確認すると、クーポン利用端末６の画面ロックを解除する操作を行う。この操作を受け、ステップＳ２２において、クーポン利用端末６の制御部１１は、表示部１６の画面ロックを解除する。ステップＳ２３において、クーポン利用端末６の制御部１１は、ＮＦＣ方式のＰ２ＰモードでＲ／Ｗ７にターゲット待機させる。
【００７１】
ユーザは、携帯端末５−１を、クーポン利用端末６に接続されたＲ／Ｗ７にかざす（近接させる）。ステップＳ２４において、携帯端末５−１の制御部３１（Ｐ２Ｐ送信部４１Ｂ）は、近距離無線通信部３６を介して、ＮＦＣ方式のＰ２ＰモードでＲ／Ｗ７にイニシエータ応答する。ステップＳ２５において、クーポン利用端末６の制御部１１は、Ｒ／Ｗ７を介して携帯端末５−１をイニシエータとして検知する。ステップＳ２６において、クーポン利用端末６の制御部１１は、Ｒ／Ｗ７を介して、ＮＦＣ方式のＰ２Ｐモードで携帯端末５−１にデータ受信待機応答する。
【００７２】
ステップＳ２７において、携帯端末５−１の制御部３１は、ＮＦＣ方式のＰ２Ｐモードで通信開始したことを表す画面を表示部３５に表示させる。ユーザは、表示部３５に表示されたＰ２Ｐ通信開始画面を確認し、図示せぬ「Ｐ２Ｐ送信ＯＫ（確認）」ボタンの押下、もしくは画面タッチなどにより、送信の意思を携帯端末５−１に伝えると、ステップＳ２８において、携帯端末５−１の制御部３１（Ｐ２Ｐ送信部４１Ｂ）は、近距離無線通信部３６を介して、ＮＦＣ方式のＰ２Ｐモードで、ブラウザ表示中のクーポンのクーポン管理サーバ２における保管場所であるＵＲＬのデータをＲ／Ｗ７に送信する。
【００７３】
送信するＵＲＬデータとしては、例えば、
http://***.jp/クーポンID/ユーザID/割引率/割引額/ハッシュ値
もしくは
http://***.jp/?c=クーポンID&u=ユーザID&r=割引率&v=割引額&h=ハッシュ値
である。
【００７４】
ステップＳ２９において、クーポン利用端末６の制御部１１は、Ｒ／Ｗ７を介してＮＦＣ方式のＰ２Ｐモードで送信されてきた、選択クーポンのクーポン管理サーバ２における保管場所であるＵＲＬのデータを受信する。ステップＳ３０において、クーポン利用端末６の制御部１１は、データ受信の完了通知を、Ｒ／Ｗ７を介して、ＮＦＣ方式のＰ２Ｐモードで携帯端末５−１に通知する。
【００７５】
ステップＳ３１において、クーポン利用端末６の制御部１１は、ステップＳ２９の処理で受信したＵＲＬのデータを解釈し、ステップＳ３２において、解釈したＵＲＬから、クーポンのコード、タイトル、割引率、割引額などのクーポン情報、および、ユーザＩＤなどのユーザ認証情報５１を抽出する。クーポン利用端末６の制御部１１は、ユーザ認証情報５１をもとにユーザ認証し、認証に成功すると、店舗８に対し、割引き処理を実行させる。そして、クーポン利用端末６の制御部１１は、店舗８から割引き処理完了通知を受信すると、ステップＳ３３において、クーポンの利用通知を、ネットワーク９を介してクーポン管理サーバ２に通知する。
【００７６】
ステップＳ３４において、クーポン管理サーバ２の制御部１１は、ネットワーク９を介してクーポン利用端末６からクーポン利用通知を受信すると、ユーザ情報データベース２３の利用日時２３Ｅを更新する。これにより、ユーザ毎のクーポン取得状況や利用状況を管理することができる。
【００７７】
（クーポン譲渡処理）
図１４は、携帯端末５−１から携帯端末５−２へクーポンを譲渡する処理を説明するフローチャートである。
【００７８】
ステップＳ４１において、携帯端末５−１の制御部３１（クーポン表示部４１Ａ）は、ユーザの指示に基づいて、記憶部３２に記憶されている取得クーポンの一覧を表示部３５に表示させる。ユーザは、表示部３５に一覧表示されたクーポンのうち、他のユーザに譲渡するクーポンを選択し、選択クーポンのみを表示部３５に表示させる。
【００７９】
ステップＳ４２において、携帯端末５−２の制御部３１（Ｐ２Ｐ受信部４１Ｄ）は、ＮＦＣ方式のＰ２Ｐモードで近距離無線通信部３６にターゲット待機させる。
【００８０】
ユーザ同士は、携帯端末５−１と携帯端末５−２を近接させる。ステップＳ４３において、携帯端末５−１の制御部３１（Ｐ２Ｐ送信部４１Ｂ）は、近距離無線通信部３６を介して、ＮＦＣ方式のＰ２Ｐモードで携帯端末５−２にイニシエータ応答する。
【００８１】
ステップＳ４４において、携帯端末５−２の制御部３１（Ｐ２Ｐ受信部４１Ｄ）は、近距離無線通信部３６を介して携帯端末５−１をイニシエータとして検知する。ステップＳ４５において、携帯端末５−２の制御部３１（Ｐ２Ｐ受信部４１Ｄ）は、近距離無線通信部３６を介して、ＮＦＣ方式のＰ２Ｐモードで携帯端末５−１にデータ受信待機応答する。
【００８２】
ステップＳ４６において、携帯端末５−１の制御部３１は、ＮＦＣ方式のＰ２Ｐモードで通信開始したことを表す画面を表示部３５に表示させる。ユーザは、表示部３５に表示されたＰ２Ｐ通信開始画面を確認し、図示せぬ「Ｐ２Ｐ送信ＯＫ（確認）」ボタンの押下、もしくは画面タッチなどにより、送信の意思を携帯端末５−１に伝えると、ステップＳ４７において、携帯端末５−１の制御部３１（Ｐ２Ｐ送信部４１Ｂ）は、近距離無線通信部３６を介して、ＮＦＣ方式のＰ２Ｐモードで、ブラウザ表示中のクーポンのクーポン管理サーバ２における保管場所であるＵＲＬのデータを携帯端末５−２に送信する。
【００８３】
ステップＳ４８において、携帯端末５−２の制御部３１（Ｐ２Ｐ受信部４１Ｄ）は、近距離無線通信部３６を介してＮＦＣ方式のＰ２Ｐモードで送信されてきた、クーポンのクーポン管理サーバ２における保管場所であるＵＲＬのデータを受信する。ステップＳ４９において、携帯端末５−２の制御部３１（Ｐ２Ｐ受信部４１Ｄ）は、データ受信の完了通知を、近距離無線通信部３６を介して、ＮＦＣ方式のＰ２Ｐモードで携帯端末５−１に通知する。
【００８４】
ステップＳ５０において、携帯端末５−２の制御部３１は、ステップＳ４８の処理で受信したＵＲＬのデータを解釈し、ステップＳ５１において、ブラウザ（起動アプリケーション）を判定する。ステップＳ５２において、携帯端末５−２の制御部３１は、ステップＳ５０の処理で解釈したＵＲＬで、ステップＳ５１の処理で判定したブラウザを起動する。これにより起動ブラウザは、ＨＴＴＰリクエストを、ネットワーク９を介してクーポン管理サーバ２に送信する。
【００８５】
ステップＳ５３において、クーポン管理サーバ２の制御部１１は、受信したＨＴＴＰリクエストを解析し、対応するクーポン情報をクーポン情報データベース２２から読み出し、受け取ったユーザＩＤなどを含めたＵＲＬへリダイレクトし、クーポン画面のデータをＨＴＴＰレスポンスとして返信する。ステップＳ５４において、携帯端末５−２の制御部３１（クーポン表示部４１Ａ）は、受信したＨＴＴＰレスポンスを解析し、クーポン画面のデータを表示部３５に表示させる。
【００８６】
ステップＳ５５において、クーポン管理サーバ２の制御部１１は、ネットワーク９を介して携帯端末５−２から受信したＨＴＴＰリクエストに付加されているユーザ認証情報５１（図１０）に基づいて、ユーザ情報データベース２３の取得クーポンＩＤ２３Ｃおよび譲受日時２３Ｇを更新する。また、元ユーザのユーザ情報に含まれる譲渡日時２３Ｆも更新される。これにより、ユーザ毎のクーポン取得状況や利用状況を管理することができる。
【００８７】
なお、クーポン譲渡には、以下の２つの方法があり、クーポンにコピーガードが掛けられているか否かに応じて使い分けられる。
１．元ユーザが所有する携帯端末５−１にクーポン情報を残したまま、コピーされたクーポン情報を他のユーザが所有する携帯端末５−２に渡す。
２．他のユーザが所有する携帯端末５−２にクーポン情報を渡した後、元ユーザが所有する携帯端末５−１からクーポン情報を消去する。
【００８８】
［本発明の実施の形態における効果］
１．以上のように、ＮＦＣ方式のＰ２Ｐモードの通信機能を用いることにより、簡便に、かつ、高速にクーポン情報の送受信を行うことができる。
２．ＩＣチップのセキュア領域を必要としないため、システム構築が容易となる。
３．独自のアプリケーションを必要としないため、低コストで実現することが可能である。
４．ＮＦＣ方式のＰ２Ｐモードで送受信を行うため、故意にＩＣチップが参照されたり、改ざんされたりする恐れはない。
５．クーポン管理サーバ２で管理されるデータベースを参照することにより、ユーザがよく利用するクーポンを把握することができ、嗜好情報として活用することができる。
【００８９】
以上、添付図面を参照しながら、本発明に係るクーポン提供システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００９０】
１………クーポン提供システム
２………クーポン管理サーバ
３………クーポン提示端末
４………Ｒ／Ｗ
５−１、５−２………携帯端末
６………クーポン利用端末
７………Ｒ／Ｗ
９………ネットワーク
１１………制御部
１２………記憶部
１４………通信制御部
１６………表示部
３１………制御部
３２………記憶部
３５………表示部
３６………近距離無線通信部
【図１】
2014056283.tif 000003
【図２】
2014056283.tif 000004
【図３】
2014056283.tif 000005
【図４】
2014056283.tif 000006
【図５】
2014056283.tif 000007
【図６】
2014056283.tif 000008
【図７】
2014056283.tif 000009
【図８】
2014056283.tif 000010
【図９】
2014056283.tif 000011
【図１０】
2014056283.tif 000012
【図１１】
2014056283.tif 000013
【図１２】
2014056283.tif 000014
【図１３】
2014056283.tif 000015
【図１４】
2014056283.tif 000016